(57)【要約】【課題】  簡単な構成で感度良く広い周波数帯の電波信号を受信することのできるイヤホンマイクロホンを提供する。【解決手段】一方の端部にコネクタ部１を、他方の端部に音響出力部２を備え、両端部を接続するコード３の中間にマイクロホン回路を搭載した基板４を有するイヤホンマイクロホンであって、音響出力部２と基板４との間を接続するコード６を並行２芯ケーブルで構成し、この並行２芯ケーブルの一方の心線６ａをアンテナとして機能させ、このアンテナで受信した電波信号を基板４とコネクタ部１との間を接続するコード５を介して伝達し、コネクタ部１からチューナーを有する外部機器へ出力する。【選択図】        図２
2005354275.tif 000002
【特許請求の範囲】
【請求項１】
一方の端部にコネクタ部を、他方の端部に音響出力部を備え、両端部を接続するコードの中間にマイクロホン回路を搭載した基板を有するイヤホンマイクロホンであって、
前記音響出力部と前記基板との間を接続する前記コードを並行２芯ケーブルで構成し、この並行２芯ケーブルの一方の心線をアンテナとして機能させ、このアンテナで受信した電波信号を前記基板と前記コネクタ部との間を接続する前記コードを介して伝達し、前記コネクタ部からチューナーを有する外部機器へ出力するイヤホンマイクロホン。
【請求項２】
一方の端部にコネクタ部を、他方の端部に左右一対の音響出力部を備え、両端部を接続するコードの中間にマイクロホン回路を搭載した基板を有して、この基板で左右それぞれの前記音響出力部へと前記コードが分岐するイヤホンマイクロホンであって、
左右それぞれの前記音響出力部と前記基板との間を接続する前記コードをそれぞれアンテナとして機能させ、これらのアンテナで受信した電波信号を、前記基板と前記コネクタ部との間を接続する前記コードを構成する一本の導線を介して伝達し、前記コネクタ部からチューナーを有する外部機器へ出力するイヤホンマイクロホン。
【請求項３】
一方の端部にコネクタ部を、他方の端部に左右一対の音響出力部を備え、両端部を接続するコードの中間にマイクロホン回路を搭載した基板を有して、この基板で左右それぞれの前記音響出力部へと前記コードが分岐するイヤホンマイクロホンであって、
前記音響出力部と前記基板との間を接続する前記コードをそれぞれ並行２芯ケーブルで構成し、前記コネクタ部と前記基板との間を接続するコードを一本の同軸ケーブルを有して構成し、各並行２芯ケーブルの一方の心線をアンテナとして機能させ、これらのアンテナで受信した電波信号を、前記基板を介して前記同軸ケーブルの心線によって伝達し、前記コネクタ部からチューナーを有する外部機器へ出力するイヤホンマイクロホン。
【発明の詳細な説明】
【技術分野】
【０００１】
本発明は、テレビやラジオなどの電波信号の受信機能を有したイヤホンマイクロホンに関する。
【背景技術】
【０００２】
一般的に、イヤホンやヘッドホンなどは、電話機や無線機といった通信機器や、音響機器などに接続され、例えば、外部に音を出すことができないような場所や、騒音下などの環境において、音声や音楽等の音響信号を聞くために使用されている。また、ポータブル音響機器などを身に付け、移動を伴いながら音楽を聞くために使用される場合もある。これらの機器にテレビやラジオなどの機能が備わっている場合には、放送される電波信号を受信するアンテナが必要となる。このアンテナは機器に備えられる場合もあるが、特に携帯電話機やポータブル音響機器においては、このアンテナによって機器の小型化が損なわれたり、必要な感度を得られないなどの問題がある。
【０００３】
そこで、常時、外部に出ていて電波を受信し易いところにアンテナを設けることが好ましく、例えば、ヘッドホンにアンテナを設けたアンテナ内蔵型ヘッドホンの技術が特許文献１に示されている。このアンテナ内蔵型ヘッドホンは、無線信号（電波信号）の受信に使用される長さが異なる複数本のアンテナを、左右の音響ユニットを結ぶバンド部に内蔵して、幅広い周波数の電波を安定して受信できるようにしたものである。
【０００４】
【特許文献１】特開２００３−２７４４７７（０００２〜００１２段落、第１図）
【発明の開示】
【発明が解決しようとする課題】
【０００５】
特許文献１に示されたアンテナ内蔵型のヘッドホンが接続される外部機器としては、ポータブルＡＶ（オーディオ・ビジュアル）機器などが考えられる。近年では、ポータブルＡＶ機器よりもさらに携帯性に優れた携帯電話機にも電話機能のみならず、デジタルカメラ機能やインターネット接続機能、テレビやラジオのチューナー機能など、様々な機能が付加されてきている。携帯電話機は、かばん等を持たないような場合であっても携行されることが多く、このような場合には、収納性の悪いヘッドホンタイプよりも、簡単に束ねることのできるイヤホンタイプの方が携帯性に優れている。また、携帯電話機に用いるイヤホンは、通話に用いるために、単に受話音声を聞くのみではなく、送話音声を集音する機能が必要である。通話機能を備えたイヤホンは、携帯電話機に接続して、受話音声をイヤホンより出力し、送話音声をマイクロホンより入力するイヤホンマイクロホン装置として、すでに実用化されている。
【０００６】
通常、携帯電話機には、通話用のアンテナが備えられているが、テレビやラジオの放送電波の周波数と、携帯電話機の搬送波周波数とは大きく異なるため、携帯電話機に備えられた通話用のアンテナをテレビやラジオの放送電波の受信アンテナとして使用することは好ましくない。また、通話用のアンテナとは別のアンテナを備えることは、装置の小型化にとって好ましくない。そこで、電話機として使用する際には通話のための受話器として機能するイヤホンマイクロホンにアンテナ機能を持たせると好適である。そして、このアンテナ機能付きのイヤホンマイクロホンには、感度良く広い周波数帯の電波信号を受信すると共に、低コストでアンテナ機能の付加を実現することが求められる。
【０００７】
本発明は、上記課題に鑑みて成されたもので、簡単な構成で感度良く広い周波数帯の電波信号を受信することのできるイヤホンマイクロホンを提供することを目的としている。
【課題を解決するための手段】
【０００８】
上記目的を達成するための本発明に係るイヤホンマイクロホンの特徴構成は、一方の端部にコネクタ部を、他方の端部に音響出力部を備え、両端部を接続するコードの中間にマイクロホン回路を搭載した基板を有するものであって、前記音響出力部と前記基板との間を接続する前記コードを並行２芯ケーブルで構成し、この並行２芯ケーブルの一方の心線をアンテナとして機能させ、このアンテナで受信した電波信号を前記基板と前記コネクタ部との間を接続する前記コードを介して伝達し、前記コネクタ部からチューナーを有する外部機器へ出力する点にある。
このとき、例えば並行２芯ケーブルの一方の心線はグラウンド（以下、ＧＮＤ）とし、他方の心線を音響信号線とするように構成できる。そして、このＧＮＤの心線をアンテナとして活用することで、音響信号に影響を与えることなくアンテナを構成できる。
【０００９】
この特徴構成によれば、例えば、音響出力部と基板との間を、同軸ケーブルやシールド線を用いたコードで接続し、同軸ケーブルやシールド線のシールド部の導体をアンテナとして活用した場合に比べて、アンテナ性能、即ち放射特性の良いアンテナを得ることができる。同軸ケーブルやシールド線のシールド部の導体に比べて、並行２芯ケーブルの心線（導線）は誘電率、誘電正接が共に低い。従って、受信した電波信号のエネルギー損失が少なくなる。その結果、受信した電波信号の減衰量を低下して、アンテナ装置としての放射特性を向上できる。また、並行２芯ケーブルは、同軸ケーブルやシールド線に比べて安価であり、また、シールド部を半田付けするなどの加工に要する工程を不要にすることができるので、アンテナ付きイヤホンマイクロホンを安価に生産することができる。
【００１０】
また、上記目的を達成するための本発明に係るイヤホンマイクロホンの特徴構成は、一方の端部にコネクタ部を、他方の端部に左右一対の音響出力部を備え、両端部を接続するコードの中間にマイクロホン回路を搭載した基板を有して、この基板で左右それぞれの前記音響出力部へと前記コードが分岐するものであって、左右それぞれの前記音響出力部と前記基板との間を接続する前記コードをそれぞれアンテナとして機能させ、これらのアンテナで受信した電波信号を、前記基板と前記コネクタ部との間を接続する前記コードを構成する一本の導線を介して伝達し、前記コネクタ部からチューナーを有する外部機器へ出力する点にある。
このとき、左右それぞれの音響出力部とマイクロホン回路を搭載した基板との間の前記コードの長さを左右それぞれで異ならせて構成することもできる。
【００１１】
この特徴構成によれば、受信された電波信号をアンテナ部が接続される基板から外部機器へ接続されるコネクタ部までの間を一本の導線を介して伝達するので、信号の減衰を軽減して、受信した電波信号を伝達することができる。左右それぞれの音響出力部へ接続されたアンテナで受信された電波信号は、基板で一つに合成されてコネクタ部へと伝達される。ここで例えば、基板からコネクタ部への伝達経路上に中継器として別の基板を設けて、位相整合等を行うことも可能である。しかし、このアンテナ付きイヤホンマイクロホンで受信される電波信号は、ＦＭ帯域からＵＨＦ帯域までを網羅する必要があり、その全てに対応できる位相整合回路を設けるとその回路は複雑なものとなる。従って、中継することなく、受信信号を伝達することによって信号の減衰を軽減する方が、チューナーを有する外部機器にとっても好ましい。また、中継器を有しない分、コストを削減できる。
【００１２】
また、上記目的を達成するための本発明に係るイヤホンマイクロホンの特徴構成は、一方の端部にコネクタ部を、他方の端部に左右一対の音響出力部を備え、両端部を接続するコードの中間にマイクロホン回路を搭載した基板を有して、この基板で左右それぞれの前記音響出力部へと前記コードが分岐するものであって、前記音響出力部と前記基板との間を接続する前記コードをそれぞれ並行２芯ケーブルで構成し、前記コネクタ部と前記基板との間を接続するコードを一本の同軸ケーブルを有して構成し、各並行２芯ケーブルの一方の心線をアンテナとして機能させ、これらのアンテナで受信した電波信号を、前記基板を介して前記同軸ケーブルの心線によって伝達し、前記コネクタ部からチューナーを有する外部機器へ出力する点にある。
このとき、例えば並行２芯ケーブルの一方の心線はグラウンド（以下、ＧＮＤ）とし、他方の心線を音響信号線とするように構成できる。そして、このＧＮＤの心線をアンテナとして活用することで、音響信号に影響を与えることなくアンテナを構成できる。
さらに、左右それぞれの音響出力部とマイクロホン回路を搭載した基板との間のコードの長さを左右それぞれで異ならせて構成することもできる。
【００１３】
この特徴構成によれば、例えば、音響出力部と基板との間を、同軸ケーブルやシールド線を用いたコードで接続し、同軸ケーブルやシールド線のシールド部の導体をアンテナとして活用した場合に比べて、アンテナ性能、即ち放射特性の良いアンテナを得ることができる。同軸ケーブルやシールド線のシールド部の導体に比べて、並行２芯ケーブルの心線（導線）は、誘電率、誘電正接が共に低い。従って、受信した電波信号のエネルギー損失が少なくなる。その結果、受信した電波信号の減衰量を低下して、アンテナ装置としての放射特性を向上できる。また、並行２芯ケーブルは、同軸ケーブルやシールド線に比べて安価であり、また、シールド部を半田付けするなどの加工に要する工程を不要にすることができるので、アンテナ付きイヤホンマイクロホンを安価に生産することができる。
【００１４】
また、受信された電波信号をアンテナ部が接続される基板から外部機器へ接続されるコネクタ部までの間を一本の導線を介して伝達するので、信号の減衰を軽減して、受信した電波信号を伝達することができる。左右それぞれの音響出力部へ接続されたアンテナで受信された電波信号は、基板で一つに合成されてコネクタ部へと伝達される。例えば、基板からコネクタ部への伝達経路上に中継器として別の基板を設けて、位相整合等を行うことも可能である。しかし、このアンテナ付きイヤホンマイクロホンで受信される電波信号は、ＦＭ帯域からＵＨＦ帯域までを網羅する必要があり、その全てに対応できる位相整合回路を設けると、その回路は複雑なものとなる。従って、中継することなく、受信信号を伝達することによって信号の減衰を軽減する方が、チューナーを有する外部機器にとっても好ましい。また、中継器を有しない分、コストを削減できる。
【発明を実施するための最良の形態】
【００１５】
以下、本発明の実施例を図面に基づいて説明する。図１は、本発明の実施形態に係るイヤホンマイクロホンの一例を示す斜視図である。図１に示すように、本例に示すイヤホンマイクロホンは、一方の端部にコネクタ（コネクタ部）１を、他方の端部にスピーカー（音響出力部）２を備え、両端部を接続するコード３の中間にマイクロホン回路を搭載した基板４を有している。より詳しくは、一方の端部にコネクタ１を、他方の端部に左右一対のスピーカー２ａ及び２ｂを備え、両端部を接続するコード３の中間にマイクロホン回路を搭載した基板４を有して、この基板４で左右それぞれのスピーカー２ａ及び２ｂへとコード３が分岐して構成されている。ここで、コネクタ１は、例えば携帯電話機（不図示）などへ接続され、このイヤホンマイクロホンと携帯電話機とで、ハンズフリーセットが構成される。基板４は、エレクトレットマイクロホンを用いたマイクロホン回路や、ハンズフリー通話の際にオンフックやオフフックの制御を行うスイッチ回路などを搭載してケース４０内に格納されている。ケース４０には、エレクトレットマイクロホンへ音響振動を伝えるために音孔４１としての貫通孔が設けられている。また、ケース４０には、ハンズフリー通話の際にオンフックやオフフックの制御を行うスイッチ４２も設けられている。
【００１６】
本例のイヤホンマイクロホンは、例えばテレビ放送を視聴できるようなテレビ機能付きの携帯電話機に接続して使用することができるように、テレビ放送の電波を受信する機能が設けられている。図２は、本発明の実施形態に係るイヤホンマイクロホンの一例を示す配線図である。図２に示したように、スピーカー２と基板４との間を接続するコード３（スピーカーコード６）は、並行２芯ケーブルで構成されている。そして、この並行２芯ケーブルの一方の心線６ａはグラウンド（以下、ＧＮＤ）とし、他方の心線６ｂを音響信号線とするように構成されている。そして、この並行２芯ケーブルの一方の心線６ａをアンテナとしても機能させる。ＧＮＤの心線６ａをアンテナとして活用することで、音響信号に影響を与えることなくアンテナを構成できる。そして、このアンテナで受信した電波信号を基板４とコネクタ１との間を接続するコード３（メインコード５）を介して伝達し、コネクタ１からチューナーを有する外部機器（例えば、テレビ機能付き携帯電話機）へ出力するように配線されている。
【００１７】
基板４には、図２に示すように音響信号と受信した電波信号との干渉をなくすためにコイル４ａ〜４ｃが搭載されている。音響信号とＧＮＤとの間にはノイズ除去用のコンデンサ４ｄ及び４ｅが搭載されている。この二つのコンデンサは、イヤホンマイクロホンの近傍に存在する電波発生源から発信された電波を心線６ａからなるアンテナが受信し、この受信した信号がコネクタ１を透過して、このイヤホンマイクロホンが接続される携帯電話機本体内のアンプに入力されて、バーストノイズとなる現象を防ぐために設けられる。ここで電波発生源とは、主として携帯電話機であり、例えばこのイヤホンマイクロホン自身が接続される携帯電話機も含むものである。尚、図２に示した基板４には、説明を容易にするために、マイクロホン回路やスイッチ回路は省略している。また、図１及び図２には、スピーカー２が二つ有り、スピーカーコード６としての並行２芯ケーブルも二本有する例を示しているが、勿論、スピーカー２及びスピーカーコード６が一つであってもよい。
【００１８】
このように、スピーカー２と基板４との間を接続するコード３（スピーカーコード６）を、並行２芯ケーブルで構成し、この並行２芯ケーブルの一方の心線６ａをアンテナとして機能させると、アンテナ性能、即ち放射特性の良いアンテナを得ることができる。スピーカーコード６を同軸ケーブルやシールド線などで構成した場合には、一般的にそのシールド部分の導体をアンテナとして使用する。並行２芯ケーブルは同軸ケーブルやシールド線などのシールド部分の導体に比べて材料的に低誘電率、低誘電正接の性質を有しているために、電波信号の減衰が少なくなり、放射特性の良いアンテナを得ることができる。また、シールド部分をアンテナとして使用するには、シールド部分の端部を束ねて半田付けするなどの煩雑な加工を必要とするので、生産コストも低減できる。勿論、ケーブル自身の単価も並行２芯ケーブルの方が安価である。
【００１９】
図１、図２に示した例では、左右それぞれのスピーカー２ａ、２ｂと基板４との間を接続するコード３（スピーカーコード６）をそれぞれアンテナとして機能させている。そして、基板４上でこれらのアンテナで受信した電波信号を一つに統合し、基板４とコネクタ１との間を接続するコード３（メインコード５）を構成する一本の導線１１ａを介して伝達し、コネクタ１からチューナーを有する外部機器（例えば、テレビ機能付き携帯電話機）へ出力するように構成している。本例では、メインコード５上、即ち基板４からコネクタ１への信号の伝達に際して、同軸ケーブル１１を給電線として用いている。また、このメインコード５の信号経路上には位相整合用の回路等を設けず、直接基板４からコネクタ１へ受信した電波信号を伝達しているので、信号の減衰を軽減することができる。また、位相整合用の回路を設けない分だけ、安価にイヤホンマイクロホンを構成することができる。これは、左右それぞれのスピーカー２ａ、２ｂと基板４との間を接続するスピーカーコード６が、同軸ケーブル、シールド線、並行２芯ケーブルのいずれであっても、それらをアンテナとして機能させ、基板４で統合してコネクタ１へ伝達する場合には適用できることである。
【００２０】
尚、位相整合用の回路を設けないことによって、受信効率の低下等が考えられるがこれは大きな問題ではない。上述したように、本例のイヤホンマイクロホンは、例えばテレビ機能付きの携帯電話機に接続して使用されるので、テレビ放送の電波を受信する必要があるが、テレビ放送の電波には、９０−１１０ＭＨｚのＶＨＦ−Ｌｏｗ帯（１〜３チャンネルに相当）、１７０−２２０ＭＨｚのＶＨＦ−Ｈｉｇｈ帯（４〜１２チャンネルに相当）、４７０−７７０ＭＨｚのＵＨＦ帯（１３〜６２チャンネルに相当）が有り、さらにＦＭラジオ放送の７６ＭＨｚ−９０ＭＨｚのＦＭ帯も含めると、非常に広範囲の帯域に対応しなければならない。この全ての周波数に対応した位相整合回路を設けると、この回路も複雑になり、コストも上昇し、電波信号の減衰も増える。従って、位相整合回路を設けないことによるわずかな効率の低下よりも、基板４からコネクタ１へと直接電波信号を伝達することによって信号の減衰を低減する方が好ましい。
【００２１】
尚、図２には、左右それぞれのスピーカー２ａ、２ｂと基板４との間を接続するコード３（スピーカーコード６）をそれぞれアンテナとして機能させている例を示しているが、これら左右それぞれのスピーカーコード６の長さを異ならせて構成することもできる。アンテナは、波長の１／２の長さで共振する共振現象を利用したものである。従って、理想的には、上述した各周波数の波長に対応した長さのアンテナを設けることが望ましい。スピーカーコード６をアンテナとして機能させる本例のイヤホンマイクロホンの場合には、対応する周波数範囲も広く全ての周波数に対応させることは困難である。例えば、ヘッドホンのように、信号を伝達するコードとは別にヘッドバンドのような支持部材を有するものであれば、その支持部材に信号線とは別のアンテナ専用線を長さを異ならせて複数内蔵しておくことも可能である。しかし、本例のようなイヤホンマイクロホンでは、このような支持部材は有しておらず、このような方法を採ることはできない。そこで、左右それぞれのスピーカー２ａ、２ｂと基板４との間を接続するコード３（スピーカーコード６）の長さをそれぞれ異ならせて構成し、このスピーカーコード６をアンテナとして機能させると、アンテナの長さに対応した波長が増えるので受信感度が向上する。
【００２２】
以上、本発明の実施例について、スピーカーコード６を並行２芯ケーブルを用いる構成、アンテナから外部機器への電波信号の伝達に際して、メインコード５上には位相整合回路を介在させず、直接コネクタ１へ伝達する構成、左右のスピーカー２と基板４との間のスピーカーコード６の長さをそれぞれ異ならせて、複数の長さのアンテナを有するようにする構成、を例示した。これらは、それぞれ、個別に実施されても、本発明の目的である簡単な構成で感度良く広い周波数帯の電波信号を受信することのできるイヤホンマイクロホンを提供することができるが、もちろん、全ての構成を含んでいても良い。
【００２３】
つまり、これらを全て採用したイヤホンマイクロホンの構成は、以下のようになる。一方の端部にコネクタ１を、他方の端部に左右一対のスピーカー２（２ａ及び２ｂ）を備え、両端部を接続するコード３の中間にマイクロホン回路を搭載した基板４を有して、この基板４で左右それぞれのスピーカー２ａ及び２ｂへとコード３が分岐するものであり、このコード３は、分岐前のメインコード５と、左スピーカーコード７と右スピーカーコード８とで構成された分岐後のスピーカーコード６とから構成される。そして、スピーカーコード６は、それぞれ並行２芯ケーブルで構成され、メインコード５は、一本の同軸ケーブル１１と、スピーカー２へ音響信号を伝達する導線９及び１０とを少なくとも有して構成されている。尚、このとき、左スピーカーコード７と右スピーカーコード８との長さを異ならせて構成しても良い。
【００２４】
メインコード５の導線９及び１０は、コネクタ１を介して、例えば携帯電話機などの外部機器から音響信号をスピーカー２へ伝達する音響信号線であり、基板４に実装されたコイル４ａを介して導線９がスピーカーコード７の心線７ｂに接続され、基板４に実装されたコイル４ｂを介して導線１０がスピーカーコード８の心線８ｂに接続されている。スピーカーコード７及び８のＧＮＤ線である心線７ａ及び８ａは、基板４で互いに接続され、コイル４ｃを介してメインコード５の同軸ケーブル１１のシールド部１１ｂに接続され、コネクタ１を介して外部機器のＧＮＤに接続される。そして、これらの音響信号線とＧＮＤ線とによって伝達された音響信号とＧＮＤとによって、スピーカー２が電気的に振動させられて音声を発する。
【００２５】
ここで、スピーカーコード７及び８を構成する並行２芯ケーブルの一方の心線６ａ（７ａ及び８ａ）をアンテナとして機能させる。心線７ａ及び８ａは上述したように基板４上で互いに接続されている。従って、これらのアンテナで受信した電波信号は、基板４上で統合され、メインコード５の一部を構成する同軸ケーブル１１の心線１１ａを介してコネクタ１へと伝達される。そして、コネクタ１からチューナーを有する外部機器（例えば、携帯電話機）へ出力する。尚、左スピーカーコード７と右スピーカーコード８との長さを異ならせて構成した場合には、並行２芯ケーブルの心線７ａと８ａとの長さも異なる。従って、アンテナとして作用する場合にも、対応する周波数（波長）が異なるアンテナとなり、より広い周波数帯の電波の受信が可能となる。
【００２６】
本実施形態によるアンテナ付きイヤホンマイクロホンは、アンテナ特性（放射特性）が良いものとなるが、これを実験で確認したデータを用いて説明する。データの説明に先立ち、比較対照のイヤホンマイクロホンの構成を説明する。図４は、アンテナ付きイヤホンマイクロホンの一例を示す斜視図であり、図３は、アンテナ付きイヤホンマイクロホンの構成の一例を示す配線図である。これは、図２に示したイヤホンマイクロホンの配線とは異なり、スピーカーコード６を並行２芯ケーブルではなく、シールド線を用いて構成したものである。
【００２７】
つまり、図３及び図４に示すイヤホンマイクロホンの構成は、以下のようになる。一方の端部にコネクタ１を、他方の端部に左右一対のスピーカー２（２ａ及び２ｂ）を備え、両端部を接続するコード３の中間にマイクロホン回路を搭載した基板４を有して、この基板４で左右それぞれのスピーカー２ａ及び２ｂへとコード３が分岐する。このコード３は、分岐前のメインコード５と、分岐後のスピーカーコード６とから構成される。また、メインコード５の中間には、アンテナで受信した電波信号の位相整合回路５４を搭載した基板を内蔵したケース５０が設けられている。メインコード５は、このケース５０を挟んでコネクタ１の側のメインコード５２と、スピーカー２の側のメインコード５１とから構成され、スピーカーコード６は、左スピーカーコード７と右スピーカーコード８とから構成される。そして、スピーカーコード６は、それぞれ２芯のシールド線で構成され、メインコード５は、ケース５０を挟んで接続される同軸ケーブル１１と、スピーカー２へ音響信号を伝達する導線９及び１０と、スピーカー２へＧＮＤレベルを伝達する導線１２とを有して構成されている。
【００２８】
メインコード５の導線９、１０及び１２は、位相整合回路５４上を素通りして、コネクタ１を介して、例えば携帯電話機などの外部機器から音響信号をスピーカー２へ伝達する信号線及びＧＮＤ線である。途中、基板４に実装されたコイル４ａを介して導線９がスピーカーコード７の心線７ｂに接続され、基板４に実装されたコイル４ｂを介して導線１０がスピーカーコード８の心線８ｂに接続され、スピーカーコード７及び８のＧＮＤ線である心線７ａ及び８ａは、基板４で互いに接続され、コイル４ｃを介してメインコード５の導線１２に接続され、コネクタ１を介して外部機器のＧＮＤに接続される。そして、これらの音響信号を伝達する信号線とＧＮＤ線とによって、スピーカー２が電気的に振動させられて音声を発する。
【００２９】
ここで、スピーカーコード７及び８を構成するシールド線のシールド部分の導体７ｃ及び８ｃがアンテナとして機能する。このシールド部分の導体７ｃ及び８ｃは基板４上で互いに接続されており、これらのアンテナで受信された電波信号は、基板４上で統合されてメインコード５の一部を構成する同軸ケーブル１１の心線１１ａを介してコネクタ１へと伝達され、チューナーを有する外部機器（例えば、テレビ機能付き携帯電話機）へ出力される。尚、心線１１ａの途中に位相整合回路５４が設けられているので、電波信号はこの整合回路５４を介して伝達される。
【００３０】
続いて、アンテナ特性の比較について説明する。図５〜８に、図１及び図２に示すイヤホンマイクロホンと図３及び図４に示すイヤホンマイクロホンとのアンテナ性能を比較するために、同じ長さの並行２芯ケーブルとシールド線のシールド部導体とをアンテナとして用いて、その放射特性を測定した結果のグラフを示す。アンテナは、送信、受信共に同様の原理で作用するので、本測定においては、アンテナから電波を送信し、その減衰率（ｄＢ：デシベル）を測定することによって放射特性を得るようにした。減衰の少ない方が放射強度が高く、アンテナ特性が良いことになる。グラフは、中心がマイナス１００デシベルで外周部が０デシベルであるので、グラフ上で面積が広い方がアンテナ特性が良いことを示している。また、ある程度の指向性を有するので、グラフの下部には、最大減衰率及び最小減衰率を表に示した。最大減衰率、最小減衰率共にマイナスの数値が小さい方がアンテナ特性が良いことを示している。
【００３１】
図５は、ＦＭ帯域の放射特性を示すグラフである。ＦＭ帯域の周波数として、７６ＭＨｚ（ｆ１）と８３ＭＨｚ（ｆ２）とを取り上げて測定した。並行２芯ケーブルを用いたアンテナの放射特性（ｂ）の方が、シールド線を用いたアンテナの放射特性（ａ）よりもグラフ上で広い面積を有しており、アンテナ性能が良いことを示している。
【００３２】
図６は、ＶＨＦ−Ｌｏｗ帯域の放射特性を示すグラフである。この帯域の周波数として、９０ＭＨｚ（ｆ３）と１００ＭＨｚ（ｆ４）と１１０ＭＨｚ（ｆ５）とを取り上げて測定した結果を示している。図６からは、ｆ３、ｆ４については、並行２芯ケーブルを用いたアンテナの放射特性（ｂ）の方が、シールド線を用いたアンテナの放射特性（ａ）よりもグラフ上で広い面積を有していてアンテナ性能が良いことが判る。図６中の表を見ると、ｆ５については、シールド線を用いたアンテナの方が最大減衰率、最小減衰率共にマイナスの数値が小さく、放射特性が良い。しかし、ｆ５はどちらをアンテナとして用いた場合であっても非常に感度良く受信できており、減衰率もｆ３、ｆ４に比べて非常に小さい。従って、並行２芯ケーブルでのｆ５の受信感度は充分なレベルであって、この周波数（波長）においてシールド線を用いたアンテナとの差異は実用上、全く問題はない。
【００３３】
図７は、ＶＨＦ−Ｈｉｇｈ帯域の放射特性を示すグラフである。この帯域の周波数として、１７１．２５ＭＨｚ（ｆ６）と１８３．２５ＭＨｚ（ｆ７）と２１７．２５ＭＨｚ（ｆ８）とを取り上げて測定した。並行２芯ケーブルを用いたアンテナの放射特性（ｂ）の方が、シールド線を用いたアンテナの放射特性（ａ）よりもグラフ上で広い面積を有しており、アンテナ性能が良いことを示している。
【００３４】
図８は、ＵＨＦ帯域の放射特性を示すグラフである。この帯域の周波数としては、４７０ＭＨｚ（ｆ９）と６２０ＭＨｚ（ｆ１０）と７７０ＭＨｚ（ｆ１１）とを取り上げて測定した。面積的にはほぼ同等であり、一部減衰率の小さいところでは、シールド線の方が優れた放射特性を示しているが、減衰率の大きいところでは、並行２芯ケーブルの方が優れた放射特性を示している。すなわち、局所的にはシールド線を用いたアンテナの方が放射特性が優れたところがあるが、並行２芯ケーブルを用いたアンテナは極端に減衰率の悪い部分が少なく、全体のバランスとしては並行２芯ケーブルの方が放射特性が良いと言える。すでに説明したように、本発明に係るイヤホンマイクロホンは、ＦＭ帯域からＵＨＦ帯域までの広範囲な周波数帯域の受信に対応しなければならないので、局所的に良い感度を示すよりも、全体を通してバランス良く感度が良い方が好ましい。
【００３５】
以上の測定結果より明らかなように、並行２芯ケーブルを用いてアンテナを構成したイヤホンマイクロホンの方が、放射特性が良い。また、図３に示したイヤホンマイクロホンは、アンテナ部分にシールド線を用いており、図２に示した本発明の実施形態に係るイヤホンマイクロホンに比べて複雑な構成である。従って、本発明によって、簡単な構成で感度良く広い周波数帯の電波信号を受信することのできるイヤホンマイクロホンを提供することができる。
【図面の簡単な説明】
【００３６】
【図１】本発明の実施形態に係るイヤホンマイクロホンの一例を示す斜視図
【図２】本発明の実施形態に係るイヤホンマイクロホンの一例を示す配線図
【図３】アンテナ付きイヤホンマイクロホンの構成の一例を示す配線図
【図４】アンテナ付きイヤホンマイクロホンの一例を示す斜視図
【図５】ＦＭ帯域の放射特性を示すグラフ
【図６】ＶＨＦ−Ｌｏｗ帯域の放射特性を示すグラフ
【図７】ＶＨＦ−Ｈｉｇｈ帯域の放射特性を示すグラフ
【図８】ＵＨＦ帯域の放射特性を示すグラフ
【符号の説明】
【００３７】
１    コネクタ
２    スピーカー
３    コード
４    基板
５    メインコード
６    スピーカーコード
【図１】
2005354275.tif 000003
【図２】
2005354275.tif 000004
【図３】
2005354275.tif 000005
【図４】
2005354275.tif 000006
【図５】
2005354275.tif 000007
【図６】
2005354275.tif 000008
【図７】
2005354275.tif 000009
【図８】
2005354275.tif 000010